(57)【要約】  アメリカ向け地上波ＤＴＶシステムであるATSC  VSB方式の受信性能をアップするためにノーマルストリームとロバスト処理されるターボストリームを含むデュアル伝送ストリームを生成することによって、デジタル放送性能の向上を図るデュアル伝送ストリーム生成装置及びその方法を提供する。  本装置はノーマルストリームを受信してノーマルストリームの各パケットに適応的フィールド(adaptation  field)を生成するアダプタ部、ノーマルストリームを構成する全パケットのうち所定パケットに設けられた適応的フィールドにターボストリームを挿入してデュアル伝送ストリームを生成するスタッファー部及びノーマルストリームを構成する全パケットに設けられた適応的フィールドの一部である第１領域に付加基準信号を挿入して、デュアル伝送ストリームを付加基準信号、ターボストリーム及びノーマルストリームが混在する形態に再構成する付加基準信号挿入部を含む。これにより、ターボストリーム及びノーマルストリームを効率よく伝送しながらもチャネル状態も容易に把握できる。
2010507926.tif 000002
【特許請求の範囲】
【請求項１】
ノーマルストリームを受信して前記ノーマルストリームの各パケットに適応的フィールドを生成するアダプタ部と、
前記ノーマルストリームを構成する全パケットのうち所定パケットに設けられた適応的フィールドにターボストリームを挿入してデュアル伝送ストリームを生成するスタッファー部と、
前記ノーマルストリームを構成する全パケットに設けられた適応的フィールドの一部である第１領域に付加基準信号を挿入して、前記デュアル伝送ストリームを前記付加基準信号、前記ターボストリーム及び前記ノーマルストリームが混在する形態に再構成する付加基準信号挿入部とを含むことを特徴とするデュアル伝送ストリーム処理装置。
【請求項２】
前記スタッファー部は、
前記ノーマルストリームの全パケットに設けられた適応的フィールドの一部である第２領域に前記ターボストリームを挿入することを特徴とする請求項１に記載のデュアル伝送ストリーム処理装置。
【請求項３】
前記デュアル伝送ストリームは、
それぞれ付加基準信号、ターボストリームデータ及びノーマルストリームデータの全てを含む複数のパケットで構成される少なくとも一つのフィールドを含むことを特徴とする請求項２に記載のデュアル伝送ストリーム処理装置。
【請求項４】
前記スタッファー部は、
前記ノーマルストリームの一部パケットの全領域に設けられた適応的フィールドのうち前記第１領域を除いた残り領域に前記ターボストリームを挿入することを特徴とする請求項１に記載のデュアル伝送ストリーム処理装置。
【請求項５】
前記デュアル伝送ストリームは、
前記付加基準信号と前記ターボストリームデータを含む少なくとも一つの第１パケット及び前記付加基準信号と前記ノーマルストリームデータを含む少なくとも一つの第２パケットを含み、前記第１パケットと前記第２パケットは所定順序に従って交番に配置されることを特徴とする請求項４に記載のデュアル伝送ストリーム処理装置。
【請求項６】
前記スタッファー部は、
前記ノーマルストリームの一部パケットの全領域に設けられた適応的フィールドのうち前記第１領域と重ならない一部領域である第３領域に前記ターボストリームを挿入することを特徴とする請求項１に記載のデュアル伝送ストリーム処理装置。
【請求項７】
前記デュアル伝送ストリームは、
前記付加基準信号、前記ターボストリームデータ及び前記ノーマルストリームデータの全てを含む少なくとも一つの第１パケットと、前記付加基準信号と前記ノーマルストリームデータを含む少なくとも一つの第２パケットを含み、前記第１パケットと前記第２パケットは所定順序に従って交番に配置されることを特徴とする請求項６に記載のデュアル伝送ストリーム処理装置。
【請求項８】
前記デュアル伝送ストリームは、
前記付加基準信号、前記ターボストリームデータ及び前記ノーマルストリームデータの全てを含む少なくとも一つの第１パケット、前記付加基準信号と前記ノーマルストリームデータを含む少なくとも一つの第２パケット、前記付加基準信号と前記ターボストリーム データを含む少なくとも一つの第３パケットを含み、
前記第１ないし第３パケットは所定順序に従って交番に配置されることを特徴とする請求項１に記載のデュアル伝送ストリーム処理装置。
【請求項９】
前記ターボストリームを受信してリードソロモンエンコーディングを行うリードソロモンエンコーダと、
前記リードソロモンエンコーディングされたターボストリームをインターリービングするインターリーバと、
前記インターリービングされたターボストリーム内にパリティ挿入領域を設けて、前記スタッファー部に提供するデュプリケータをさらに含むことを特徴とする請求項１に記載のデュアル伝送ストリーム処理装置。
【請求項１０】
前記アダプタ部は、
前記ノーマルストリームの各パケットのうち固定された位置のパケットにパケット情報を記録するためのオプションフィールドを設けることを特徴とする請求項１ないし９のいずれか一項に記載のデュアル伝送ストリーム処理装置。
【請求項１１】
前記オプションフィールドは、
プログラムクロックレファレンス（ＰＣＲ）、オリジナルプログラムクロックレファレンス（ＯＰＣＲ）、適応的フィールド拡張長さ、伝送プライベートデータ長さ及びマクロブロック数のうち少なくとも一つの情報が記録されることを特徴とする請求項１０に記載のデュアル伝送ストリーム処理装置。
【請求項１２】
(ａ)ノーマルストリームを受信して前記ノーマルストリームの各パケットに適応的フィールドを生成する段階と、
(ｂ)前記ノーマルストリームを構成する全パケットのうち所定パケットに設けられた適応的フィールドにターボストリームを挿入してデュアル伝送ストリームを生成する段階と、
(ｃ)前記ノーマルストリームを構成する全パケットに設けられた適応的フィールドの一部である第１領域に付加基準信号を挿入して、前記デュアル伝送ストリームを前記付加基準信号、前記ターボストリーム及び前記ノーマルストリームが混在する形態に再構成する段階と、を含むことを特徴とするデュアル伝送ストリーム処理方法。
【請求項１３】
前記(ｂ)段階は、
前記ノーマルストリームの全パケットに設けられた適応的フィールドの一部である第２領域に前記ターボストリームを挿入することを特徴とする請求項１２に記載のデュアル伝送ストリーム処理方法。
【請求項１４】
前記デュアル伝送ストリームは、
それぞれ付加基準信号、ターボストリームデータ及びノーマルストリームデータの全てを含む複数のパケットで構成される少なくとも一つのフィールドを含むことを特徴とする請求項１３に記載のデュアル伝送ストリーム処理方法。
【請求項１５】
前記(ｂ)段階は、
前記ノーマルストリームの一部パケットの全領域に設けられた適応的フィールドのうち前記第１領域を除いた残り領域に前記ターボストリームを挿入することを特徴とする請求項１２に記載のデュアル伝送ストリーム処理方法。
【請求項１６】
前記デュアル伝送ストリームは、
前記付加基準信号と前記ターボストリームデータを含む少なくとも一つの第１パケット及び前記付加基準信号と前記ノーマルストリームデータを含む少なくとも一つの第２パケットを含み、前記第１パケットと前記第２パケットは所定順序に従って交番に配置されることを特徴とする請求項１５に記載のデュアル伝送ストリーム処理方法。
【請求項１７】
前記(ｂ)段階は、
前記ノーマルストリームの一部パケットの全領域に設けられた適応的フィールドのうち前記第１領域と重ならない一部領域である第３領域に前記ターボストリームを挿入することを特徴とする請求項１２に記載のデュアル伝送ストリーム処理方法。
【請求項１８】
前記デュアル伝送ストリームは、
前記付加基準信号、前記ターボストリームデータ及び前記ノーマルストリームデータの全てを含む少なくとも一つの第１パケット、前記付加基準信号と前記ノーマルストリームデータを含む少なくとも一つの第２パケットを含み、前記第１パケットと前記第２パケットは所定順序に従って交番に配置されることを特徴とする請求項１７に記載のデュアル伝送ストリーム処理方法。
【請求項１９】
前記デュアル伝送ストリームは、
前記付加基準信号、前記ターボストリームデータ及び前記ノーマルストリームデータの全てを含む少なくとも一つの第１パケット、前記付加基準信号と前記ノーマルストリームデータを含む少なくとも一つの第２パケット、前記付加基準信号と前記ターボストリームデータを含む少なくとも一つの第３パケットを含み、
前記第１ないし第３パケットは所定順序に従って交番に配置されることを特徴とする請求項１２に記載のデュアル伝送ストリーム処理方法。
【請求項２０】
前記ターボストリームを受信してリードソロモンエンコーディングを行う段階と、
前記リードソロモンエンコーディングされたターボストリームをインターリービングする段階と、
前記インターリービングされたターボストリーム内にパリティ挿入領域を設けて、前記(ａ)段階に提供する段階と、をさらに含むことを特徴とする請求項１２に記載のデュアル伝送ストリーム処理方法。
【請求項２１】
前記(ａ)段階は、
前記ノーマルストリームの各パケットのうち固定された位置のパケットにパケット情報を記録するためのオプションフィールドを設けることを特徴とする請求項１２ないし２０のいずれか一項に記載のデュアル伝送ストリーム処理方法。
【請求項２２】
前記オプションフィールドは、
プログラムクロックレファレンス（ＰＣＲ）、オリジナルプログラムクロックレファレンス（ＯＰＣＲ）、適応的フィールド拡張長さ、伝送プライベートデータ長さ及びマクロブロック数の少なくとも一つの情報が記録されることを特徴とする請求項２１に記載のデュアル伝送ストリーム処理方法。
【請求項２３】
ノーマルデータのノーマルストリームを受信して前記ノーマルストリームの各パケットに適応的フィールドを生成するアダプタ部と、
少なくとも一つの前記パケットに設けられた適応的フィールドの第１領域にターボストリームのターボデータを挿入し、前記一つのパケットを含む前記全パケットの前記第１領域を除いた前記適応的フィールドの第２領域にトレーニングシーケンスを挿入してデュアル伝送ストリームを生成するスタッファー部を含み、
前記トレーニングシーケンスはチャネル状態をチェックするための受信装置におけるトレーニングシーケンスと比較されることを特徴とするデュアル伝送ストリーム処理装置。
【請求項２４】
前記トレーニングシーケンスは付加基準信号を含むことを特徴とする請求項２３に記載のデュアル伝送ストリーム処理装置。
【請求項２５】
前記アダプタ部以前の前記ノーマルストリームの各パケットはシンク、ヘッダ、及び前記ノーマルデータを含み、
前記アダプタ部は各パケットの前記ノーマルデータに適応的フィールドを生成することを特徴とする請求項２３に記載のデュアル伝送ストリーム処理装置。
【請求項２６】
前記スタッファー部は、
前記第１領域に前記ターボデータ及び前記適応的フィールド外部の第３領域に前記ノーマルデータを含む前記ノーマルストリームの各パケットを挿入することを特徴とする請求項２３に記載のデュアル伝送ストリーム処理装置。
【請求項２７】
前記スタッファー部は、
第１パケットが前記第１領域に前記ターボデータ及び前記適応的フィールド外部の第３領域に前記ノーマルデータを含み、第２パケットが前記第１領域及び前記第３領域に前記ノーマルデータを含む前記ノーマルストリームの各パケットを挿入することを特徴とする請求項２３に記載のデュアル伝送ストリーム処理装置。
【請求項２８】
前記スタッファー部は、
第１パケットが前記第１領域に前記ターボデータを含み、前記適応的フィールド外部の第３領域にいずれのノーマルデータも含まなく、第２パケットが前記第１領域及び第３領域に前記ノーマルデータを含む前記ノーマルストリームの各パケットを挿入することを特徴とする請求項２３に記載のデュアル伝送ストリーム処理装置。
【請求項２９】
前記スタッファー部は、
第１パケットが前記第１領域に前記ターボデータ及び前記適応的フィールド外部の第３領域にノーマルデータを含み、第２パケットが前記第１領域及び第３領域に前記ノーマルデータを含む前記ノーマルストリームの各パケットを挿入することを特徴とする請求項２３に記載のデュアル伝送ストリーム処理装置。
【請求項３０】
前記スタッファー部は前記適応的フィールドの第３領域に適応的フィールドヘッダを含む前記ノーマルストリームの各パケットを挿入し、
前記適応的フィールドヘッダは前記適応的フィールドのサイズ及び位置のうち少なくとも一つに関する情報を含むことを特徴とする請求項２３に記載のデュアル伝送ストリーム処理装置。
【請求項３１】
受信器によって復号可能なデュアル伝送ストリームのパケットに多重化されて配置されたノーマルストリーム及びターボストリームに符号化された媒体において、前記パケットの一つは、
前記パケットに関する情報を検出するために前記受信器で使用された情報を含むヘッダと、
前記パケットが伝送されたチャネル状態を検出するために前記受信器で使用されたトレーニングシーケンスを含む第１領域、及び前記ターボストリームのターボ符号化されたデータを除去して復号化する前記受信器によって検出されて復号化されたターボ符号化されたデータを含む第１領域を除いた第２領域を有する適応的フィールドと、
前記ノーマルストリームの前記ノーマルデータを除去して復号化するために前記受信器によって検出され復号化されたノーマルデータフィールドとを含む媒体。
【請求項３２】
前記パケットのそれぞれは前記第１領域に前記トレーニングシーケンスを含み、
前記トレーニングシーケンスは付加基準信号を含むことを特徴とする請求項３１に記載の媒体。
【請求項３３】
多重化される以前の前記ノーマルストリームのパケットそれぞれはシンク、ヘッダ、及び前記ノーマルデータを保存するノーマルデータ領域を含み、
前記適応的フィールドは各パケットの前記ノーマルデータ領域に存在することを特徴とする請求項３１に記載の媒体。
【請求項３４】
それぞれのパケットは前記第２領域に前記ターボデータを含むことを特徴とする請求項３１に記載の媒体。
【請求項３５】
前記パケットのうち他の一つは前記第２領域に前記ノーマルデータを含み、前記ターボデータは含まないことを特徴とする請求項３１に記載の媒体。
【請求項３６】
前記パケットのさらに他の一つは前記第２領域に前記ターボデータを含み、前記他のパケットにいずれのノーマルデータも含まない前記ノーマルデータフィールドを含むことを特徴とする請求項３１に記載の媒体。
【請求項３７】
前記パケットは前記適応的フィールドの第３領域に適応的フィールドヘッダを含み、
前記適応的フィールドヘッダは前記適応的フィールドのサイズ及び位置のうち少なくとも一つを決定するために前記受信器で使われた情報を含むことを特徴とする請求項３１に記載の媒体。
【発明の詳細な説明】
【技術分野】
【０００１】
本発明はデジタル放送用ノーマルストリームとターボストリームを含むデュアル伝送ストリームを生成するデュアル伝送ストリーム生成装置及びその方法に係り、さらに詳しくはアメリカ向け地上波ＤＴＶシステムであるATSC  VSB方式の受信性能をアップするためにノーマルストリームとロバスト処理されるターボストリームを含むデュアル伝送ストリームを生成することによって、デジタル放送性能の向上を図るデュアル伝送ストリーム生成装置及びその方法に関する。
【背景技術】
【０００２】
アメリカ向け地上波デジタル放送システムであるＡＴＳＣ  ＶＳＢ方式はシングルキャリア方式であり、３１２セグメント単位でフィールド同期信号(field  sync)が使われている。これにより、劣悪なチャネル、特にドッフラーフェージングチャネルで受信性能が不良である。
【０００３】
図１は一般のアメリカ向地上波デジタル放送システムであって、ＡＴＳＣ  ＤＴＶ規格による送受信器を示したブロック図である。図１のデジタル放送送信器はフィリップス（Philips）社が提案したＥＶＳＢシステムであって、基準ＡＴＳＣ  ＶＳＢシステムのノーマルデータ(Normal  data)にロバストデータ(Robust  data)を追加したデュアルストリーム(Dual  stream)を形成して伝送できるように構成した方式である。
【０００４】
図１に示したように、デジタル放送送信器はデュアルストリームをランダム化させるランダム化部１１、伝送過程でチャネル特性によって発生するエラーを訂正するために伝送ストリームにパリティバイトを追加する連接符号化器(Concatenated  coder)形態であるリードソロモンエンコーダ(Reed-Solomon  encoder)１２、ＲＳエンコーディングされたデータを所定パターンによってインターリービングを行うインターリーバ１３、及びインターリービングされたデータに対して２/３比率でトレリスエンコーディングを行って８レベルシンボルにマッピングするトレリスエンコーダ(2/3  rate  trellis  encoder)１４を含んで、デュアルストリームに対してエラー訂正符号化を行う。
【０００５】
また、デジタル放送送信器はエラー訂正符号化が行われたデータに対して図２のデータフォーマットのようにフィールドシンク(field  Sync)とセグメントシンク(Segment  Sync)を挿入する多重化部１５、及びセグメント同期信号とフィールド同期信号が挿入されたデータシンボルに所定のＤＣ値を付加してパイロットトーンを挿入しパルス成形してＶＳＢ変調を行い、ＲＦチャネル帯域の信号に変換(up-converting)して伝送する変調部１６を含む。
【０００６】
従って、デジタル放送送信器はノーマルデータとロバストデータを一つのチャネルに送信するデュアルストリーム方式によってノーマルデータとロバストデータがマルチプレクシングされ(図示せず)、ランダム化部１１に入力される。入力されたデータはランダム化部１１を通じてデータランダム化し、ランダム化されたデータはアウターコーダ(Outer  coder)であるリードソロモンエンコーダ１２を介して外符号化し、インターリーバ１３を介して符号化されたデータを分散させる。また、インターリービングされたデータを１２シンボル単位でトレリスエンコーディング部１４を介して内符号化して、内符号化されたデータに対して８レベルシンボルにマッピングした後、フィールド同期信号とセグメント同期信号を挿入し、その後パイロットトーンを挿入してＶＳＢ変調を行い、ＲＦ信号に変換して伝送するようになる。
【０００７】
一方、図１のデジタル放送受信器はチャネルを介して受信されたＲＦ信号を基底信号に変換するチューナ(図示せず)と、変換された基底信号に対して同期検出及び復調を行う復調部２１と、復調された信号に対してマルチパスによって発生されたチャネル歪みを補償する等化部２２と、等化された信号に対してエラーを訂正し、シンボルデータに復号するビタビデコーダ２３と、デジタル放送送信器のインターリーバ１３によって分散されたデータを再整列するデインターリーバ２４と、エラーを訂正するＲＳデコーダ２５と、ＲＳデコーダ２５を介して訂正されたデータを逆ランダム化(derandomize)してＭＰＥＧ-２伝送ストリームを出力する逆ランダム化部２６とを含む。
【０００８】
従って、図１のデジタル放送受信器はデジタル放送送信器の逆過程でＲＦ信号を基底帯域に変換(Down-converting)し、変換された信号を復調及び等化した後チャネルデコーディングを行って原信号を復元する。
【０００９】
図２はアメリカ向けデジタル放送(8-VSB)システムのセグメント同期信号及びフィールド同期信号が挿入されたＶＳＢデータフレームを示す。示されたように、１つのフレームは２つのフィールドより構成され、１つのフィールドは一番目セグメントである１つのフィールド同期信号セグメント(field  sync  segment)と３１２個のデータセグメントで構成される。また、ＶＳＢデータフレームにおいて１つのセグメントは一つのＭＰＥＧ-２パケットに対応し、１つのセグメントは４シンボルのセグメント同期信号(segment  sync)と８２８個のデータシンボルで構成される。
【００１０】
図２において同期信号であるセグメント同期信号とフィールド同期信号はデジタル放送受信器側で同期及び等化のために使われる。すなわち、フィールド同期信号及びセグメント同期信号はデジタル放送送信器及び受信器との間に既知のデータであって、受信器側で等化を行う時基準信号(Reference  Signal)として使われる。
【００１１】
図１のアメリカ向け地上波デジタル放送システムは既存ＡＴＳＣ  ＶＳＢシステムのノーマルデータにロバストデータを追加してデュアルストリームを形成して伝送できるように構成された方式で、既存のノーマルデータにロバストデータを共に伝送する。
【００１２】
しかし、図１のアメリカ向け地上波デジタル放送システムはロバストデータの追加によるデュアルストリーム伝送にも拘わらず、既存のノーマルデータストリーム伝送によるマルチパスチャネルにおける劣悪な受信性能を改善する効果は殆どないとの問題点がある。  また、ターボストリームについてもマルチパス環境下において受信性能改善効果が大きくないとの問題点があった。
【００１３】
また、従来のデジタル放送放送システムによれば、送信側と受信側との間でチャネル状態を確認できないとの問題点もあった。
【００１４】
これにより、チャネル状態を容易に確認できるのみならず、かつターボストリームを一層ロバストに処理可能な構造のデュアル伝送ストリームの生成方法に対する必要性が高まりつつある。
【特許文献１】韓国特許公開第２００３−００２６２３６号公報
【特許文献２】韓国特許公開第２００５−００７７２５５号公報
【特許文献３】韓国特許公開第２００２−００９４４２６号公報
【発明の開示】
【発明が解決しようとする課題】
【００１５】
本発明は前述したような従来の技術の問題点を解決するために案出されたもので、その目的はアメリカ向け地上波ＤＴＶシステムであるATSC  VSB方式の受信性能を向上させるため、付加基準信号、ノーマルストリームとターボストリームが混在する形態のデュアル伝送ストリームを生成及び処理して受信側との間でチャネル状態を容易に確認できるようにし、ターボストリームに対するロバスト処理を容易に行えるようにするデュアル伝送ストリーム処理装置及びその方法を提供するところにある。
【課題を解決するための手段】
【００１６】
前述した目的を達成するための本発明の一実施例によるデュアル伝送ストリーム処理装置は、ノーマルストリームを受信して前記ノーマルストリームの各パケットに適応的フィールド(adaptation  field)を生成するアダプタ部、前記ノーマルストリームを構成する全パケットのうち所定パケットに設けられた適応的フィールドにターボストリームを挿入してデュアル伝送ストリームを生成するスタッファー部、及び前記ノーマルストリームを構成する全パケットに設けられた適応的フィールドの一部である第１領域に付加基準信号を挿入して、前記デュアル伝送ストリームを前記付加基準信号、前記ターボストリーム及び前記ノーマルストリームが混在する形態に再構成する付加基準信号挿入部を含む。
【００１７】
前記スタッファー部は、前記ノーマルストリームの全パケットに設けられた適応的フィールドの一部である第２領域に前記ターボストリームを挿入しうる。
【００１８】
この場合、前記デュアル伝送ストリームは、それぞれ付加基準信号、ターボストリーム データ及びノーマルストリームデータの全てを含む複数のパケットで構成される少なくとも一つのフィールドを含む形態で具現できる。
【００１９】
前記スタッファー部は、前記ノーマルストリームの一部パケットの全領域に設けられた適応的フィールドのうち前記第１領域を除いた残り領域に前記ターボストリームを挿入しうる。
【００２０】
この場合、前記デュアル伝送ストリームは、前記付加基準信号と前記ターボストリーム データを含む少なくとも一つの第１パケット及び前記付加基準信号と前記ノーマルストリームデータを含む少なくとも一つの第２パケットを含み、前記第１パケットと前記第２
パケットは所定順序に従って交番に配置される形態で具現できる。
【００２１】
前記スタッファー部は前記ノーマルストリームの一部パケットの全領域に設けられた適応的フィールドのうち前記第１領域と重ならない一部領域である第３領域に前記ターボストリームを挿入しうる。
【００２２】
この場合、前記デュアル伝送ストリームは、前記付加基準信号、前記ターボストリームデータ及び前記ノーマルストリームデータの全てを含む少なくとも一つの第１パケット, 前記付加基準信号と前記ノーマルストリームデータを含む少なくとも一つの第２パケットを含み、前記第１パケットと前記第２パケットは所定順序に従って交番に配置される形態で具現可能である。
【００２３】
前記デュアル伝送ストリームは、前記付加基準信号、前記ターボストリームデータ及び前記ノーマルストリームデータの全てを含む少なくとも一つの第１パケット、前記付加基準信号と前記ノーマルストリームデータを含む少なくとも一つの第２パケット、前記付加基準信号と前記ターボストリームデータを含む少なくとも一つの第３パケットを含み、前記第１ないし第３パケットは所定順序に従って交番に配置される形態で具現できる。
【００２４】
一方、本発明のデュアル伝送ストリーム処理装置は、前記ターボストリームを受信してリードソロモンエンコーディングを行うリードソロモンエンコーダ、前記リードソロモンエンコーディングされたターボストリームをインターリービングするインターリーバ、及び前記インターリービングされたターボストリーム内にパリティ挿入領域を設けて、前記スタッファー部に提供するデュプリケータをさらに含める。
さらに望ましくは、前記アダプタ部は前記ノーマルストリームの各パケットのうち固定された位置のパケットにパケット情報を記録するためのオプションフィールドを設けることができる。
【００２５】
この場合、前記オプションフィールドは、プログラムクロックレファレンス(ＰＣＲ)、オリジナルプログラムクロックレファレンス(ＯＰＣＲ)、適応フィールド拡張長さ(adaptation  field  extension  length)、伝送プライベートデータ長さ(transport  private  data  length)及びマクロブロック数(splice  countdown)のうち少なくとも一つの情報が記録されうる。
【００２６】
一方、本発明の一実施例によるデュアル伝送ストリーム処理方法は、(ａ)ノーマルストリームを受信して前記ノーマルストリームの各パケットに適応的フィールド(adaptation  field)を生成する段階、(ｂ)前記ノーマルストリームを構成する全パケットのうち所定パケットに設けられた適応的フィールドにターボストリームを挿入してデュアル伝送ストリームを生成する段階、及び(ｃ)前記ノーマルストリームを構成する全パケットに設けられた適応的フィールドの一部である第１領域に付加基準信号を挿入して、前記デュアル伝送ストリームを前記付加基準信号、前記ターボストリーム及び前記ノーマルストリームが混在する形態に再構成する段階とを含む。
【００２７】
前記(ｂ)段階は、前記ノーマルストリームの全パケットに設けられた適応的フィールドの一部である第２領域に前記ターボストリームを挿入しうる。
【００２８】
この場合、前記デュアル伝送ストリームはそれぞれ付加基準信号、ターボストリームデータ及びノーマルストリームデータの全てを含む複数のパケットで構成される少なくとも一つのフィールドを含む形態に具現できる。
【００２９】
前記(ｂ)段階は、前記ノーマルストリーム一部パケットの全領域に設けられた適応的フィールドのうち前記第１領域を除いた残り領域に前記ターボストリームを挿入しうる。
【００３０】
この場合、前記デュアル伝送ストリームは前記付加基準信号と前記ターボストリームデータを含む少なくとも一つの第１パケット及び前記付加基準信号と前記ノーマルストリームデータを含む少なくとも一つの第２パケットを含み、前記第１パケットと前記第２パケットは所定順序に従って交番に配置される形態に具現できる。
【００３１】
前記(ｂ)段階は、前記ノーマルストリームの一部パケットの全領域に設けられた適応的フィールドのうち前記第１領域と重ならない一部領域である第３領域に前記ターボストリームを挿入しうる。
【００３２】
この場合、前記デュアル伝送ストリームは、前記付加基準信号、前記ターボストリームデータ及び前記ノーマルストリームデータを全て含む少なくとも一つの第１パケット、前記付加基準信号と前記ノーマルストリームデータを含む少なくとも一つの第２パケットを含み、前記第１パケットと前記第２パケットは所定順序に従って交番に配置される形態で具現できる。
【００３３】
前記デュアル伝送ストリームは前記付加基準信号、前記ターボストリームデータ及び前記ノーマルストリームデータの全てを含む少なくとも一つの第１パケット、前記付加基準信号と前記ノーマルストリームデータを含む少なくとも一つの第２パケット、前記付加基準信号と前記ターボストリームデータを含む少なくとも一つの第３パケットを含み、前記第１ないし第３パケットは所定順序に従って交番に配置される形態で具現されうる。
【００３４】
一方、本デュアル伝送ストリーム処理方法は、前記ターボストリームを受信してリードソロモンエンコーディングを行う段階と、前記リードソロモンエンコーディングされたターボストリームをインターリービングする段階、及び前記インターリービングされたターボストリーム内にパリティ挿入領域を設けて、前記(ａ)段階に提供する段階をさらに含める。
【００３５】
前記(ａ)段階は、前記ノーマルストリームの各パケットのうち固定された位置のパケットにパケット情報を記録するためのオプションフィールドを設けられる。
【００３６】
この場合、前記オプションフィールドは、プログラムクロックレファレンス(ＰＣＲ)、オリジナルプログラムクロックレファレンス(ＯＰＣＲ)、適応フィールド拡張長さ、伝送プライベートデータ長さ及びマクロブロック数のうち少なくとも一つの情報が記録されうる。
【００３７】
一方、本発明の一実施例によるデュアル伝送ストリーム処理装置は、ノーマルデータのノーマルストリームを受信して前記ノーマルストリームの各パケットに適応的フィールドを生成するアダプタ部、及び少なくとも一つの前記パケットに設けられた適応的フィールドの第１領域にターボストリームのターボデータを挿入し、前記一つのパケットを含む前記全パケットの前記第１領域を除いた前記適応的フィールドの第２領域にトレーニングシーケンス(training  sequence)を挿入してデュアル伝送ストリームを生成するスタッファー部とを含み、前記トレーニングシーケンスはチャネル状態をチェックするための受信装置におけるトレーニングシーケンスと比較できる。
【００３８】
この場合、前記トレーニングシーケンスは付加基準信号を含める。
【００３９】
ここで、前記アダプタ部以前の前記ノーマルストリームの各パケットはシンク、ヘッダ及び前記ノーマルデータを含み、前記アダプタ部は各パケットの前記ノーマルデータに適応的フィールドを生成しうる。
【００４０】
また、前記スタッファー部は、前記第１領域に前記ターボデータ及び前記適応的フィールド外部の第３領域に前記ノーマルデータを含む前記ノーマルストリームの各パケットを挿入しうる。
【００４１】
ここで、前記スタッファー部は、第１パケットが前記第１領域に前記ターボデータ及び前記適応的フィールド外部の第３領域に前記ノーマルデータを含み、第２パケットが前記第１領域及び前記第３領域に前記ノーマルデータを含む前記ノーマルストリームの各パケットを挿入しうる。
【００４２】
また、前記スタッファー部は、第１パケットが前記第１領域に前記ターボデータを含み、前記適応的フィールド外部の第３領域にいずれのノーマルデータも含まず、第２パケットが前記第１領域及び第３領域に前記ノーマルデータを含む前記ノーマルストリームの各パケットを挿入しうる。
【００４３】
また、前記スタッファー部は、第１パケットが前記第１領域に前記ターボデータ及び前記適応的フィールド外部の第３領域にノーマルデータを含み、第２パケットが前記第１領域及び第３領域に前記ノーマル データを含む前記ノーマルストリームの各パケットを挿入しうる。
【００４４】
また、前記スタッファー部は前記適応的フィールドの第３領域に適応的フィールドヘッダを含む前記ノーマルストリームの各パケットを挿入し、前記適応的フィールドヘッダは前記適応的フィールドのサイズ及び位置の少なくとも一つに関する情報を含める。
【００４５】
一方、本発明の他の実施例による媒体は、受信器によって復号できるデュアル伝送ストリームのパケットに多重化され配置されたノーマルストリーム及びターボストリームに符号化された媒体において、前記パケットの一つは、前記パケットに関する情報を検出するために前記受信器で使用された情報を含むヘッダと、前記パケットが伝送されたチャネル状態を検出するために前記受信器で使用されたトレーニングシーケンスを含む第１領域及び前記ターボストリームのターボ符号化されたデータを除去して復号化する前記受信器によって検出され復号化されたターボ符号化されたデータを含む第１領域を除いた第２領域を有する適応的フィールド、及び前記ノーマルストリームの前記ノーマルデータを除去して復号化するために前記受信器によって検出され復号化されたノーマルデータフィールドとを含める。
【００４６】
ここで、前記パケットのそれぞれは前記第１領域に前記トレーニングシーケンスを含み、前記トレーニングシーケンスは付加基準信号を含める。
【００４７】
また、多重化する前の前記ノーマルストリームのパケットそれぞれはシンク、ヘッダ、及び前記ノーマルデータを保存するノーマルデータ領域を含み、前記適応的フィールドは各パケットの前記ノーマルデータ領域に存在しうる。
【００４８】
この際、それぞれのパケットは前記第２領域に前記ターボデータを含める。
【００４９】
ここで、前記パケットの他の一つは前記第２領域に前記ノーマルデータを含み、前記ターボ データは含まない場合もある。
【００５０】
また、前記パケットのさらに他の一つは前記第２領域に前記ターボデータを含み、前記他のパケットにいずれのノーマルデータも含まない前記ノーマルデータフィールドを含める。
【００５１】
この際、前記パケットは前記適応的フィールドの第３領域に適応的フィールドヘッダを含み、前記適応的フィールドヘッダは前記適応的フィールドのサイズ及び位置のうち少なくとも一つを決定するために前記受信器で使用された情報を含める。
【発明の効果】
【００５２】
以上述べたように、本発明によればアメリカ向け地上波ＤＴＶシステムであるATSC  VSB方式の受信性能をアップするためにノーマルストリームとターボストリームを含むデュアル伝送ストリームを生成することができる。この場合、デュアル伝送ストリームの構成を多様に変更してターボストリーム及びノーマルストリームを効率よく伝送できるようになる。また、デュアル伝送ストリーム内に付加基準信号を挿入して共に伝送することによって、受信側でチャネル状態を容易に把握できるようになる。
【発明を実施するための最良の形態】
【００５３】
以下、添付した図面に基づき本発明の一実施形態を詳述する。
【００５４】
図３は本発明の一実施例に係るデュアル伝送ストリーム生成装置の構成を示すブロック図である。図３によるデュアル伝送ストリーム生成装置はアダプタ部(adaptor  part)１１０、スタッファー部(stuffer  part)１２０、及び付加基準信号挿入部(Supplementary  Reference  Singal  stuffer  part)１３０を含む。
【００５５】
アダプタ部１１０はノーマルストリームを受信してノーマルストリーム内に適応的フィールド(adaptation  field)を生成する。適応的フィールドはトレーニングデータ(training  data)などのような付加基準信号、ターボストリームデータなどのような多様な種類のデータが挿入できる領域である。具体的にはアダプタ部１１０はノーマルストリームを構成する全体パケットの一部領域または全領域に適応的フィールドを生成できる。
【００５６】
スタッファー部１２０はノーマルストリームに設けられた適応的フィールド内にターボストリームを挿入して、デュアル伝送ストリームを生成する。デュアル伝送ストリームとはターボストリーム及びノーマルストリームが混在するストリームを意味する。ターボストリームとは所定の圧縮規格によって圧縮してロバスト処理したデータストリームを意味する。ノーマルストリーム、ターボストリームは放送撮影装置などのような外部モジュールや、圧縮処理モジュール(例えば、MPEG 2モジュール)、ビデオエンコーダ、オーディオエンコーダなどのような多様な内部モジュールから受信できる。
【００５７】
スタッファー部１２０で生成されたデュアル伝送ストリームの１フレームは少なくとも一つ以上のフィールドを含む。各フィールドは複数のパケットで構成される。各パケットには適応的フィールドが設けられ、ターボストリームは各パケットのうち一部パケットの適応的フィールドに挿入されうる。
【００５８】
付加基準信号挿入部１３０はノーマルストリームの全パケットに設けられた適応的フィールドの一部領域(以下、第１領域と称する)に付加基準信号を挿入する。付加基準信号とは送信側と受信側に共通に知られた信号パターンを意味する。放送受信側では受信されたストリーム内の付加基準信号と既存に知られている付加基準信号とを比較することによって、チャネル状態を容易にチェックすることができる。チェックされたチャネル状態は信号補償程度を決定するのに使用可能である。付加基準信号として説明されたこととは違って、いずれのトレーニングシーケンスも付加基準信号に代えられるか、付加基準信号に追加され使用できる。
【００５９】
一方、図３には示されていないが、本発明のデュアル伝送ストリーム処理装置はランダム化器(randomizer:図示せず)をさらに含める。ランダム化器は付加基準信号挿入部１３０の前段に配置されうる。
【００６０】
図４は本デュアル伝送ストリーム生成装置が受信するノーマルストリーム構成の一例を示す模式図である。図４によるに、ノーマルストリームの１パケットは同期信号(SYNC)、ヘッダ、ノーマルデータを含める。ヘッダ(Header)部分には伝送エラー指標、ペイロード開始指標、伝送優先順位、パケット識別子などが含める。
【００６１】
図４のノーマルストリーム全体パケットは総１８８バイトで構成でき、このうち１バイトは同期信号、３バイトはヘッダ、１８４バイトはペイロード、すなわちノーマルデータ記録領域で活用できる。本デュアル伝送ストリーム処理装置は図４の構造のようなノーマルストリームを受信して、ノーマルストリーム内に適応的フィールドを設けてターボストリームが挿入可能な領域を確保することができる。
【００６２】
図５は適応的フィールドが設けられたノーマルストリーム構成の一例を示す模式図である。図５によるに、ノーマルストリームは同期信号、ヘッダ、適応的フィールド、ノーマルデータ領域を含む。適応的フィールドは適応的フィールドヘッダ(Adaptation  Field  header:AF  header)及びスタッフィング(stuffing)領域を含む。図５のようにスタッフィング領域は挿入するデータの量によって第１スタッフィング領域(Stuffing  1)、及び第２スタッフィング領域(Stuffing  2)、またはそれ以上に区分できる。
【００６３】
ＡＦヘッダは適応的フィールド(Adaptation  Field)の位置、サイズなどを知らせるための情報が記録される領域であって、２バイトで構成できる。スタッフィング領域のサイズは適応的フィールドに挿入するデータ量によって適応的に決められる。例えば、第１スタッフィング領域のサイズがＳバイトであり、第２スタッフィング領域のサイズをＮバイトとすれば、Ｓ＋Ｎは０ないし１８２のいずれか一つの値になれる。すなわち、同期信号、ヘッダ、ＡＦヘッダが占める領域を除いた残り領域の全てをスタッフィング領域として使用することもできる。
【００６４】
一方、適応的フィールドが生成されることによって、ノーマルデータ領域はＳ＋Ｎほど減少する。すなわち全体ペイロード領域が１８４バイトならば、ノーマルデータ領域は１８４-Ｓ-Ｎバイトで構成される。一方、適応的フィールドが生成されることによって、ヘッダ部には適応的フィールドをコントロールするためのコントロール領域が追加されうる。
【００６５】
スタッファー部１２０は図５の適応的フィールドにターボストリームを挿入することによって、デュアル伝送ストリームを生成できる。図５によるに、スタッフィング領域のうち第２スタッフィング領域にターボデータを挿入した状態であることが分かる。一方、図５では適応的フィールドがペイロード領域の一部にだけ生成されたことと示されているが、適応的フィールドがペイロード領域の全体を占める場合もある。図５において、第１スタッフィング領域が前述した第１スタッフィング領域として活用できる。すなわち、付加基準信号挿入部１３０は第１スタッフィング領域に付加基準信号を挿入することができる。
【００６６】
図６は本デュアル伝送ストリーム処理装置で生成されるデュアル伝送ストリーム構成の一例を示す模式図である。図６によるに、デュアル伝送ストリームは複数のパケットが連結された形態で具現される。各パケットは付加基準信号、ターボストリーム及びノーマルストリームを全て含む。すなわち、スタッファー部１２０はノーマルストリームの全パケットに設けられた適応的フィールドの一部領域(以下、第２領域)にターボストリームを挿入する。第１領域及び第２領域は互いに重ならない領域を意味する。これにより、図６のような構造のデュアル伝送ストリームを生成しうる。図６によるに、各パケットは同期信号、ヘッダ、ＡＦヘッダ、ＳＲＳ、ターボストリームデータ、ノーマルストリームデータを含む。
【００６７】
図７は本デュアル伝送ストリーム処理装置において生成されるデュアル伝送ストリーム構成の他の例を示す模式図である。スタッファー部１２０はノーマルストリームの各パケットのうち一部パケットの適応的フィールドのうち第１領域と重ならない領域にのみターボストリームデータを挿入してデュアル伝送ストリームを生成できる。このようなデュアル伝送ストリームに対して付加基準信号挿入部１３０が前述したように付加基準信号を挿入すれば、図７のような構造のデュアル伝送ストリームが生成されうる。
【００６８】
図７に係るデュアル伝送ストリームの一部パケット７１０は付加基準信号、ターボストリームデータ及びノーマルストリームデータの全てを含む形態に具現される。スタッファー部１２０はノーマルストリームの全パケットのうち一部パケット７１０に設けられた適応的フィールドで第１領域と重ならない領域(以下、第３領域と称する)にターボストリームデータを挿入することによって、図７のような構造のデュアル伝送ストリームを生成しうる。
【００６９】
また、他のパケット７２０は付加基準信号及びノーマルストリームだけを含む形態に具現される。説明の便宜のため、一部パケット７１０及び他のパケット７２０をそれぞれ第１パケット及び第２パケットと命名すれば、第１パケット７１０及び第２パケット７２０は所定順序に従って交番に配置できる。すなわち、第１パケット７１０に相次いで第２パケット７２０が配置されたり、第２パケット７２０に相次いで第１パケット７１０が配置される形態になりうる。
【００７０】
図７において、デュアル伝送ストリームの１フィールドが３１２パケットで構成される場合ならば、第１パケット７１０の数は総７８個になる。
【００７１】
一方、デュアル伝送ストリームの３１２パケット内に第１パケット７１０を７０個挿入する場合なら、デュアル伝送ストリームは第１パケット及び第２パケットが１:３比率で４パケットずつ７０回繰り返され、残された３２パケットは第２パケットだけで構成できる。
【００７２】
図８は本デュアル伝送ストリーム処理装置において生成されるデュアル伝送ストリーム構成のさらに他の例を示す模式図である。図８によるデュアル伝送ストリームの一部パケット８１０は付加基準信号及びターボストリームデータを含む形態に具現され、他のパケット８２０は付加基準信号及びノーマルストリームデータを含む形態に具現される。説明の便宜のため、図８における一部パケット８１０及び他のパケット８２０をそれぞれ第１パケット及び第２パケットと命名すれば、図８の第１パケット８１０及び第２パケット８２０も所定順序に従って交番に配置できる。図８ではターボストリームパケットとノーマルストリームパケットが１:３の比率で配置された状態を示しているが、ｎ:ｍ(ｎ，ｍは自然数)の比率で配置できる。すなわち１:４、２:２、２:３などの多様な比率で配置されうる。
【００７３】
図９は本デュアル伝送ストリーム処理装置で生成されるデュアル伝送ストリーム構成のさらに他の例を示す模式図である。図９によるに、デュアル伝送ストリームは、付加基準信号及びターボストリームデータを含む第１形態のパケット、付加基準信号、ターボストリームデータ、ノーマルストリームデータの全てを含む第２形態のパケット、付加基準信号、ノーマルストリームデータを含む第３形態のパケットで構成できる。説明の便宜のため、図９において第１ないし第３形態のパケットをそれぞれ第１パケット及び第２パケットと命名すれば、第１ないし第３パケットは所定順序に従って交番に配置される。すなわち 第１、２、３パケットの順序にて配置されたり、第１、３、２パケット順序または第３、２、１パケット順序などで配置できる。
【００７４】
また、第１ないし第３パケットそれぞれの配置比率はｎ:ｍ:ｘ(ｎ,ｍ,ｘは自然数)になりうる。図９によるに、１:１:２の比率で配置されていることが分かる。
【００７５】
図１０は図７のデュアル伝送ストリームを拡張して示した模式図である。図１０によるに、ターボストリーム及びノーマルストリームの両方を含んでいるパケットと、ノーマルストリームだけを含んでいるパケットが交番に配置されていることが分かる。また、全パケットには付加基準信号が挿入されていることが分かる。
【００７６】
図１０においてＴＤＣ(Tunneling  Data  Channel)は追ってユーザが必要とする用途として使用可能に空にしておいた領域を意味し、ＴＤＣはスタッフィング領域で最大６バイトほどが使用できる。ＴＤＣは付加基準信号が記録されたスタッフィング領域のうち前端部だけではなく、付加基準信号データの間に設けられる。
【００７７】
一方、図１０によるに、デュアル伝送ストリーム内の一部パケットにはオプションフィールドが設けられる。オプションフィールドとはパケットに対する多様な情報が記録可能な領域である。
【００７８】
オプションフィールドの位置はターボストリームと重ならないように指定された位置に固定させうる。図１０によるに、オプションフィールドの代表的な例としてプログラムクロックレファレンス(Program  Clock  Reference:PCR)が第１５番目パケットに固定配置される。
【００７９】
オプションフィールドに記録されるパケット情報は、プログラムクロック
レファレンス(ＰＣＲ)、オリジナルプログラムクロックレファレンス(ＯＰＣＲ)、適応的フィールド拡張長さ、伝送プライベートデータ長さ、マクロブロック数のうち少なくとも一つになりうる。
【００８０】
各パケット情報が記録されるオプションフィールドの位置はターボストリームが配置される領域と重ならないように固定させうる。例えば、３１２セグメントを５２セグメント単位で分ける時、次のように表せる。
【００８１】
プログラムクロックレファレンス(PCR)は(６バイト使用):52n+15,n=0
オリジナルプログラムクロックレファレンス(OPCR)は(６バイト使用):52n＋15,n=
適応フィールド拡張長さ(adaptation  field  extension  length)は(２バイト使用):52n+15,n=2
伝送プライベートデータ長さ(transport  private  data  length)は(５バイト使用):52n+15,n=3,4,5
マクロブロック数(splice  countdown)は(１バイト使用):52n+15,n=0,1,2,3,4,5
図１０には示されていないが、前述した数式を適用すれば、“伝送プライベートデータ長さ”の場合、１７１、２２３、２７５番目パケットに配置されることが分かる。
【００８２】
図６ないし図１０に示された構成のほか、適応フィールドのオプションフィールドを除いたヌルデータにターボストリームを挿入したデュアル伝送ストリームパケットは多様に構成しうる。また、ターボストリームの比率はデュアル伝送ストリームパケットの構成によって調節できる。
【００８３】
図１１は図３のデュアル伝送ストリーム処理装置の構成をさらに詳細に示したブロック図である。図１１によるに、本デュアル伝送ストリーム処理装置はアダプタ部１１０、スタッファー部１２０、付加基準信号挿入部１３０、リードソロモンエンコーダ１４０、インターリーバ１５０、デュプリケータ１６０を含める。アダプタ部１１０及びスタッファー部１２０はノーマルストリームとターボストリームを一つの伝送ストリーム内に設ける役割を果たすので、ＭＵＸ端と称しうる。
【００８４】
リードソロモンエンコーダ１４０は外部からターボストリームを受信してリードソロモンエンコーディングを行う役割を果たす。すなわち、リードソロモンエンコーダ１４０は同期信号、ヘッダ、ターボデータ領域で構成されたターボストリームを受信する。全体ターボストリームパケットは１８８バイトで構成しうる。このうち同期信号(SYNC)が１バイト、ヘッダが３バイト、ターボデータが１８４バイトで構成されうる。リードソロモンエンコーダ１４０はターボストリームのうち同期信号を除去し、ターボデータ領域に対するパリティを演算して２０バイトサイズのパリティを付加する。結局、最終エンコーディングされたターボストリームの１パケットは総２０７バイトで構成され、そのうち３つのバイトはヘッダ、１８４バイトはターボデータ、２０バイトはパリティに割り当てられる。
【００８５】
インターリーバ１５０はリードソロモンエンコーディングされたターボストリームをインターリービングしてデュプリケータ１６０に提供する。
【００８６】
デュプリケータ１６０はターボストリーム内にパリティを挿入するためのパリティ挿入領域を設けた後、ターボストリームをスタッファー部１２０に提供する。
【００８７】
スタッファー部１２０はアダプタ部１１０によって適応的フィールドが設けられたノーマルストリームを受信し、デュプリケータ１６０から提供されたターボストリームを適応的フィールドに挿入してデュアル伝送ストリームを生成する。
【００８８】
付加基準信号挿入部１３０はスタッファー部１２０で生成されたデュアル伝送ストリーム内のスタッフィング領域に付加基準信号を挿入して、デュアル伝送ストリームを付加基準信号、ターボストリームデータ、ノーマルストリームデータが混在する形態に再構成する。
【００８９】
デュプリケータ１６０がパリティ挿入領域を設ける過程を具体的に説明すれば、デュプリケータ１６０は、まずターボストリームの構成単位である各バイトを２つまたは４つのバイトに区分する。区分された各バイトには、原バイトのビット値のうち一部とヌルデータ(例えば、０)が満たされる。ヌルデータが満たされた領域がパリティ挿入領域になる。
【００９０】
さらに具体的に説明すれば次の通りである。入力を２倍サイズにさせる場合ならば、
１バイトに入るビットがＭＳＢからa,b,c,d,e,f,g,hと表現され、その順序通り入力されると仮定する際、デュプリケータ１６０の出力はa,a,b,b,c,c,d,d,e,e,f,f,g,g,h,hのように表現できる。この場合、ＭＳＢから表示すれば、a,a,b,b,c,c,d,dよりなる１バイトとe,e,f,f,g,g,h,hおりなる１バイトの２バイト出力が順次に出力されることが分かる。
【００９１】
入力を４倍サイズにさせる場合ならば、デュプリケータ１６０の出力はa,a,a,a,b,b,b,b,c,c,c,c,d,d,d,d,e,e,e,e,f,f,f,f,g,g,g,g,h,h,h,hのように表現できる。このように４つのバイトが出力される。一方、デュプリケータ１６０は必ず入力ビットをコピーする必要なく、指定された位置以外の位置には他の任意の値、すなわちヌルデータを入れられる。例えば、デュプリケータが入力を２倍にさせる場合ならば、前記a,a,b,b,c,c,...出力の代わりにa,x,b,x,c,x...のように二つの連続的なビットのうち前部だけ元々の入力を維持し、後ろ部は任意の値が入るようにすることができる。または、それとは逆に、後ろ側だけ元々の入力を維持させることもできる。出力を４倍にする場合にも本来の入力は１番目、２番目、３番目、４番目位置のうちいずれか一箇所にだけ位置させ、残りは任意の値を入れることもできる。
【００９２】
本デュアル伝送ストリーム処理装置によって生成されたデュアル伝送ストリームはエンコーディング、ロバスト処理,同期信号マクシング、変調などの過程を経て受信装置に送信される。この場合、ロバスト処理過程ではデュアル伝送ストリームからターボストリームだけを検出し、検出されたターボストリーム内に設けられたパリティ挿入領域、すなわちデュプリケータ１６０によって設けられたパリティ挿入領域にターボストリームに対するパリティを付加してターボストリームをロバストなデータストリームにさせる作業が行われる。生成されたデュアル伝送ストリームを処理して送信する構成は従来の技術を用いて多様な方式で具現できるので、これに対する具体的な説明は省く。
【００９３】
一方、本発明の一実施例によるデュアル伝送ストリーム生成方法を説明すれば、まずノーマルストリームを受信してノーマルストリーム内に適応的フィールドを生成する。適応的フィールドの生成位置及びサイズはターボストリームの量によって違ってくる。具体的に、ペイロード領域の一部または全部を適応的フィールドで使用可能である。それから、別に受信されるターボストリームを適応的フィールドに挿入してデュアル伝送ストリームを生成する。この場合、ターボストリームについてはリードソロモンエンコーディング及びインターリービングを行い、パリティ挿入領域を設けた後、適応的フィールドに挿入しうる。
【００９４】
一方、デュアル伝送ストリームが生成されれば、ストリーム内の一部適応的フィールドに付加基準信号を挿入してデュアル伝送ストリームを再構成する。これにより、図７ないし図１０に示したような多様な構造のデュアル伝送ストリームを生成できるようになる。本デュアル伝送ストリーム生成方法は図３及び図１１によって容易に把握できるので、本デュアル伝送ストリーム生成方法を説明するための流れ図はその図示を省く。また、本発明は一つ以上のプロセッサ及び/またはコンピュータで使用するために、一つ以上のコンピュータ読込可能な媒体に符号化されたコンピュータ読込可能なコードとして利用できる。
【００９５】
以上では本発明の望ましい実施例について示しかつ説明したが、本発明は前述した特定の実施例に限らず、請求の範囲で請求する本発明の要旨を逸脱しない範囲で当該発明の属する技術分野における通常の知識を有する者にとって多様な変形実施が可能であることは勿論、このような変形実施は本発明の技術的思想や展望から個別的に理解されてはいけない。
【図面の簡単な説明】
【００９６】
【図１】従来のデジタル放送(ATSCVSB)送受信システムの構成を示すブロック図である。
【図２】従来のATSCVSBデータのフレーム構造を示す例示図である。
【図３】本発明の一実施例によるデュアル伝送ストリーム処理装置の構成を示す示すブロック図である。
【図４】図３のデュアル伝送ストリーム処理装置で受信するノーマルストリーム構成の一例を示す模式図である。
【図５】適応的フィールドが設けられたノーマルストリーム構成の一例を示す模式図である。
【図６】本発明の一実施例によるデュアル伝送ストリーム処理装置で生成されるデュアル伝送ストリームの多様な構成を説明するための模式図である。
【図７】本発明の一実施例によるデュアル伝送ストリーム処理装置で生成されるデュアル伝送ストリームの多様な構成を説明するための模式図である。
【図８】本発明の一実施例によるデュアル伝送ストリーム処理装置で生成されるデュアル伝送ストリームの多様な構成を説明するための模式図である。
【図９】本発明の一実施例によるデュアル伝送ストリーム処理装置で生成されるデュアル伝送ストリームの多様な構成を説明するための模式図である。
【図１０】本発明の一実施例によるデュアル伝送ストリーム処理装置で生成されるデュアル伝送ストリームの多様な構成を説明するための模式図である。
【図１１】図３のデュアル伝送ストリーム処理装置の詳しい構成を説明するためのブロック図である。
【符号の説明】
【００９７】
１１０  アダプタ部
１２０  スタッファー部
１３０  付加基準信号挿入部
１４０  リードソロモンエンコーダ
１５０  インターリーバ
１６０  デュプリケータ
【図１】
2010507926.tif 000003
2010507926.tif 000004
【図２】
2010507926.tif 000005
【図３】
2010507926.tif 000006
【図４】
2010507926.tif 000007
【図５】
2010507926.tif 000008
【図６】
2010507926.tif 000009
【図７】
2010507926.tif 000010
【図８】
2010507926.tif 000011
【図９】
2010507926.tif 000012
【図１０】
2010507926.tif 000013
【図１１】
2010507926.tif 000014
【国際調査報告】
2010507926.tif 000015
2010507926.tif 000016